(57)【要約】【課題】斬新な感覚で、これまでにないおしゃれを楽しむことができるとともに、イヤリングあるいはピアスとして、さらには部分かつらとしても適用可能で、必要に応じて増毛作用も期待できる新たな装身具を提供する。【解決手段】耳たぶ４などに装着される装着部６と、装着部６に取り付けられる毛状体８とから構成され、毛状体８は、頭髪の外観に類似させた人工繊維、あるいは頭髪の外観とは非類似の人工繊維であり、１あるいは複数個を用いてイヤリングや部分かつらとして使用することを特徴としている。【選択図】図１
0003151381.tif 000002
【実用新案登録請求の範囲】
【請求項１】
着用者に装着される装着部と、
前記装着部に取り付けられる毛状体とから構成されることを特徴とする装身具。
【請求項２】
前記毛状体は、頭髪の外観に類似させた人工繊維であることを特徴とする請求項１に記載の装身具。
【請求項３】
前記毛状体は、頭髪の外観とは非類似の人工繊維であることを特徴とする請求項１に記載の装身具。
【請求項４】
前記毛状体は、主毛体と副毛体とから構成され、前記装着部には主毛体が装着されるとともに、その主毛体に前記副毛体が取り付けられていることを特徴とする請求項1または
２に記載の装身具。
【請求項５】
前記装着部は、チタンあるいはチタン合金から形成されていることを特徴とする請求項１に記載の装身具。
【請求項６】
請求項１〜請求項５のいずれかに記載の装身具を耳に装着してイヤリングもしくはピアスとして使用することを特徴とする装身具。
【請求項７】
請求項１〜請求項６のいずれかに記載の装身具を耳に装着して頭髪の装身具として使用することを特徴とする装身具。
【考案の詳細な説明】
【技術分野】
【０００１】
本考案は、装身具に関するもので、詳しくは、着用者の耳たぶなどに取り付けてイヤリングあるいはピアスとして使用したり、頭髪の装身具として使用したりすることが可能な装身具に関する。
【背景技術】
【０００２】
近年、若い人から年配の人に至るまで様々なおしゃれが楽しまれている。これまで、顔や頭などに取り付ける装身具として付けまつげ、イヤリング、さらにはエクステと称される部分かつらなどが知られている。また、若い人にあっては、今までにない斬新なスタイルが注目を集め、さらにその提供が望まれている。また、頭髪の薄さが気になりだした若い男性であれば、おしゃれを楽しみながら増毛を図ることが期待されており、手軽に使用できる使い捨てかつらも提供されている（例えば、特許文献１）。
【先行技術文献】
【特許文献】
【０００３】
【特許文献１】特開２００５−１１３３００号公報
【考案の概要】
【考案が解決しようとする課題】
【０００４】
ところで、上記公報の使い捨てかつらは、増毛としての機能は有しているものの、他者から自然毛と見分けがつき難くすることを目的として発案されたもので、ファッション性には乏しい。また、斬新さを主張して誰でも使用できるという機能は有していない。
【０００５】
一方、市販のイヤリングやピアスでは、耳元を飾る以上の機能を有していない。
【０００６】
本考案は、このような従来の実情に鑑み、斬新な感覚でこれまでにないおしゃれを楽しむことができるとともに、イヤリングあるいはピアスとして、さらには部分かつらとしても適用可能な新たな装身具を提供することを目的としている。
【課題を解決するための手段】
【０００７】
上記目的を達成するための本考案に係る装身具は、
着用者に装着される装着部と、
前記装着部に取り付けられる毛状体とから構成されることを特徴としている。
【０００８】
係る構成による本考案によれば、例えば、毛状体の長さを短くし装着部を耳たぶに取り付けることにより、今までにないイヤリング、ピアスとして使用することができる。また毛状体の長さを長く設定すれば、この毛状体を頭部に引き回して髪飾り、あるいはエクステに変わる斬新なヘアースタイルの部分かつらとしても使用することができる。
【０００９】
ここで、前記毛状体は、頭髪の外観に類似させた人工繊維であっても良く、あるいは、頭髪の外観とは非類似の人工繊維であっても良い。
【００１０】
このように、毛状体を頭髪に類似させれば、自然な髪形と見分けがつかない態様で使用することができ、また、頭髪と非類似にすれば、装着者は積極的なおしゃれ道具として、斬新さを強調した装身具を身にまとう楽しさを味わうことができる。
【００１１】
また、前記毛状体は、主毛体と副毛体とから構成され、前記装着部には主毛体が装着さ
れるとともに、その主毛体に前記副毛体が取り付けられていても良い。
【００１２】
このような構成であれば、装着部を耳に固定した後、主毛体を頭部後方に引き回して頭部に固定すれば、この主毛体から垂れ下がる副毛体により、ロングヘヤに適した増毛効果を、あるいはそれに適したおしゃれを楽しむことができる。
【００１３】
ここで、前記装着部は、チタンあるいはチタン合金から形成されていることが好ましい。
【００１４】
このように、装着部がチタンあるいはチタン合金で形成されていれば、肌が弱い人、アレルギー体質の人でも身に付けることが可能である。
【００１５】
さらに、本考案では、上記いずれかに記載の装身具を耳に装着して、これらをイヤリングもしくはピアスとして使用することもできる。この場合、毛状体として鳥の羽毛をあしらったものを採用することもできる。
【００１６】
さらに、本考案では、上記いずれかの装身具を耳に装着として頭髪の装身具として使用することもできる。この場合、耳殻の上部に取り付けることが好ましい。
【００１７】
このように、本考案の装身具は、イヤリングのような使い勝手、あるいは髪飾り、さらには、部分かつらとして使用することもでき、いずれの使用形態であっても今までにない新しいファッションを提供することができる。
【考案の効果】
【００１８】
本考案に係る装身具によれば、イヤリング、髪飾り、部分かつらなどとして使用することができ、使い勝手は様々である。また、コスト的にも安価であるため、部分かつらあるいは新規な装身具としてこれまでにない需要層を生み出すことが可能である。さらに、イヤリングとしてであれ、髪飾りとしてであれ、斬新な装身具を提供することができる。
【００１９】
また、目には付けまつげ、頭にはウイッグと同様に、耳にも髪を結びつけた装身具として、ジュエリー・ヘアウィッグ業界に新しいファッション市場を提供することができる。
【００２０】
さらに、毛状体の色を変えたり、形を変えたり、用いる装身具の数を適宜選択したりすれば、幾通りものファッションを創出することができる。
【００２１】
また、耳に直接当たる装着部をチタンあるいはチタン合金により形成すれば、肌が弱い人や金属アレルギーを起こす人にも適用可能であり、この装着部をツボに当てれば健康にも良好である。
【図面の簡単な説明】
【００２２】
【図１】図１は、本考案の一実施例に係る装身具の使用状態を示したものである。
【図２】図２は、本考案の他実施例に係る装身具の使用状態を示したものである。
【図３】図３は、本考案のさらに他実施例に係る装身具の使用状態を示したものである。
【図４】図４は、本考案のさらに他実施例に係る装身具の使用状態を示したものである。
【図５】図５は、本考案のさらに他実施例に係る装身具の使用状態を示したものである。
【考案を実施するための形態】
【００２３】
以下、図面に示した実施例を参照しながら本考案について説明する。
【００２４】
図１は本考案の一実施例に係る装身具を示したものである。
【００２５】
この装身具２は、例えば、装着者１０の装着部（この場合、耳たぶ４）に装着される装着部６と、毛状体８とから構成されている。
【００２６】
装着部６は、金属あるいは樹脂などからなるのが一般的であるが、チタンあるいはチタン合金から形成されることが最も好ましい。このように耳に直接触れる部材が、チタンあるいはチタン合金から形成されていれば、肌が弱い人や金属アレルギーを生じやすい人にも適用可能である。また、耳の付ける装身具は、ピアスであってもイヤリングであっても良い（本明細書では、ピアスも含めてイヤリングと称する場合もある）。
【００２７】
さらに、この装着部を耳周辺のいわゆるツボに当たる部分を刺激するように装着すれば、健康にも良好である。
【００２８】
毛状体８は、後述するように、頭髪の外観に類似させた人工繊維あるいは頭髪の外観とは非類似の人工繊維のいずれであっても良い。頭髪に類似させれば、頭髪で隠された状態として装着を外部から分からなくし、頭髪の一部として視認させることができる。
【００２９】
一方、これとは反対に非類似とした場合には、新規な装身具を外部に装着していることを積極的に主張できる。非類似の場合には、ファッション性を強調することができる。色、太さ、本数などは、状況に応じて適宜変更しても良い。
【００３０】
毛状体８は、図１に示したように先端部を一方向に流れるように切りそろえることもできる。さらに、鳥の羽のように束としてまとまったものであっても良い。
【００３１】
本実施例による装身具２の基本構成は、装着部６と毛状体８とにより構成されるが、以下に様々な使用形態について説明する。
【００３２】
図２は、セミショート・セミロング系のスタイルに適した装身具１２を示したものである。
【００３３】
この例では、装着部６は図１のものと同様であるが、２つの装身具１２が隣接して使用されている。装身具１２の毛状体８としては、髪形を特徴付けるシャギーの延長上であるかのような流れを持つことが好ましい。また、この毛状体８は、装着者自身の頭髪の外観に類似させた人工繊維、あるいは全く異なる非類似の人工繊維のいずれであっても良い。いずれにしても、ファッション性をかもし出すことができる。また、セミショート・セミロング系以上であれば、耳殻１４が外部にあまり露出しない。よって、頭髪の一部として視認させることができる。一方、例えば、きらびやかな非類似の人工繊維を採用した場合にも、毛状体の起点となる部分の耳たぶは、ロングヘヤにより見ることができない。この場合は、自然な頭髪と人工繊維とが混ざり合う形態で視認される。毛状体８の色合い、毛の太さなど、適宜選択することができる。
【００３４】
さらに、装着部６をあえて強調するように、毛状体８とは異なる色調に形成することもできる。その場合には、装着部６を毛髪から見え隠れする態様で視認させることができる。さらに、自然の頭髪のクセに比べて直線的にしても良い。
【００３５】
図３はさらに他の態様を示したものである。この例では、装着部６は上記と共通であり、特別な変更はないが、３つの装身具１６が耳殻１４の周囲に取り付けられる。これら３
つの装身具１６は、毛状体８が一種類ではなく、異なる３種類が取り付けられることにより、全体としてアクセントが設けられている。毛状体８の変化は、数、太さ、色合いなどで変更しても良く、あるいは、いずれか一の毛状体をクセ毛としたり直毛としたり、あるいは１つのクセ毛を他の毛状体に巻きつけても良い。このように、３つの装身具１６を使用すれば、首飾りのような使用形態を発揮することができる。
【００３６】
図４は、装身具１８を耳殻１４の上部に２つ並べて取り付けたもので、部分かつらのように使用する例を示したものである。
【００３７】
この使用例では、毛状体８は、頭頂部付近に配置するもので、この部分に頭髪の厚さを持たせることができる。また、装着部６と毛状体８との間は、直接、連結しなくても、最初の部分は紐状とし、途中から毛状体８を付設しても良い。このような装身具１８であれば、左右の耳殻１４から頭頂部に案内して交差させ、フックで固定すれば部分かつらのように、部分的にふさふさ感を付与するように使用することができる。
【００３８】
図５は、他の使用例を示したものである。
【００３９】
この装身具２０は、毛状体が主毛体２２と、主毛体２２の途中に取り付けた副毛体２４とから構成されている。副毛体２４は多数の毛状体の集合体であり、例えば、直線状に長く形成されたものが使用されている。主毛体２２は、副毛体２２を植設するために径が太く形成され、先端部には頭髪に固定するための止め具２６が設置されている。
【００４０】
このような装身具２０は、ロングヘアーの人に好ましく使用することができる。
【００４１】
例えば、図５に示したように多数個を用いて使用すれば、斜め上方に延びる主毛体２２から、多数の副毛体２４を五月雨状に垂れ下げることができる。なお、装着者自身の髪形は、ロングヘアーを後で束ねていても良く、あるいはまっすぐに垂れ下げていても良い。男女のいずれにも適用可能である。
【００４２】
以上、様々な使用形態を示したが、本考案は上記実施例に何ら限定されない。例えば、装着部６の一部にＬＥＤ素子のような発光体を取り付けて光らせても良い。また、上記実施例では、各装身具は、一個づつが独立しているが、これらを一体的に組み付けたものであっても良い。
【符号の説明】
【００４３】
２、１０、１２、１６、１８、２０    装身具
４      耳たぶ
６      装着部
８      毛状体
１４    耳殻
２２    主毛体
２４    副毛体
２６    止め具
【図１】
0003151381.tif 000003
【図２】
0003151381.tif 000004
【図３】
0003151381.tif 000005
【図４】
0003151381.tif 000006
【図５】
0003151381.tif 000007